(57)【要約】【課題】  加筆された部分を分離するのに適した画像を形成すること。【解決手段】  ＭＦＰは、画像データを入力するスキャナ１１６と、規制濃度値に基づいて、画像データの文字領域の濃度値を変換する濃度値変換部１５７と、濃度値が変換された画像データを記録媒体に画像形成するプリンタ１１８とを備える。画像データの文字領域の濃度を規制濃度値より高い濃度または低い濃度に変換すれば、その記録媒体に筆記具で加筆されても、筆記具で描画された部分と、画像形成された部分との濃度を規制濃度値で分けることができる。【選択図】        図３
2006186815.tif 000002
【特許請求の範囲】
【請求項１】
画像データを入力する入力手段と、
規制濃度値に基づいて、前記画像データの少なくとも一部の濃度値を変換する濃度値変換手段と、
前記濃度値が変換された画像データを記録媒体に画像形成する画像形成手段とを備えた、画像形成装置。
【請求項２】
外部から入力される画像形成モードを受付ける画像形成モード受付手段と、
指定された前記画像形成モードに対応する規制濃度値を決定する規制濃度値決定手段とをさらに備えた、請求項１に記載の画像形成装置。
【請求項３】
前記画像形成モードは、複数種類の筆記具に対応して複数が設けられ、
複数の前記画像形成モードそれぞれに対応して予め定められた規制濃度値を記憶する規制濃度値記憶手段をさらに備えた、請求項２に記載の画像形成装置。
【請求項４】
外部から規制濃度値の入力を受付ける規制濃度値受付手段をさらに備えた、請求項１に記載の画像形成装置。
【請求項５】
前記濃度値変換手段は、前記少なくとも一部の濃度値の最高値が、前記規制濃度値以下となるように前記少なくとも一部の濃度値を変換する、請求項１に記載の画像形成装置。
【請求項６】
入力された前記画像データから属性が文字の領域を抽出する文字領域抽出手段をさらに備え、
前記少なくとも一部の領域は前記文字領域である、請求項１に記載の画像形成装置。
【請求項７】
前記規制濃度値をビットマップ形式の濃度値画像データに変換する変換手段と、
前記濃度値画像データと前記濃度値変換手段により変換された画像データとを合成する合成手段とさらに備えた、請求項１に記載の画像形成装置。
【請求項８】
原稿を読取って画像データを出力する読取手段と、
前記読取手段より出力された前記画像データの少なくとも一部から規制濃度値を超える特徴画素を抽出する抽出手段と、
抽出された前記特徴画素を少なくとも含む付加画像データを出力する出力手段とを備えた、画像読取装置。
【請求項９】
前記原稿が画像形成された画像形成モードの入力を受付ける画像形成モード受付手段と、
入力された前記画像形成モードに対応する規制濃度値を決定する規制濃度値決定手段とをさらに備えた、請求項８に記載の画像読取装置。
【請求項１０】
前記画像形成モードは、複数種類の筆記具に対応して複数が設けられ、
複数の前記画像形成モードそれぞれに対応して予め定められた規制濃度値を記憶する規制濃度値記憶手段をさらに備えた、請求項９に記載の画像読取装置。
【請求項１１】
入力された前記画像データから属性が文字の領域を抽出する文字領域抽出手段をさらに備え、
前記少なくとも一部の領域は、前記文字領域である、請求項８に記載の画像読取装置。
【請求項１２】
前記読取手段より出力された前記画像データに含まれる所定の領域を解析して規制濃度値を取得する規制濃度値取得手段をさらに備えた、請求項８に記載の画像読取装置。
【発明の詳細な説明】
【技術分野】
【０００１】
この発明は、画像形成装置および画像読取装置に関し、特に、原稿を読取って得られる画像データから原稿に描画された手書き文字を抽出するのに適した画像形成装置および画像読取装置に関する。
【背景技術】
【０００２】
光学的に原稿を読取って得られる画像データから手書きイメージ部分を識別する印刷システムの開発が進んでいる。特開平１０−１８７８８０号公報（特許文献１）には、被読取媒体から光学的に読取った画像データを入力し、被読取媒体に文字を記入する際に用いられた筆記具の種類を判定する筆記具判定部と、筆記具判定部の判定結果に基づいて、画像データを筆記具の種類に応じた領域に区分する処理切替部と、処理切替部で筆記具の種類に応じた領域に区分された画像データを、筆記具の種類毎に区別して格納する情報記憶部とを備えた文字読取装置が記載されている。
【０００３】
しかしながら、特開平１０−１８７８８０号公報に記載の文字読取装置では、原稿のイメージに手書き文字のイメージと同じ濃度あるいは色が存在すると、それを手書き文字のイメージとして誤って識別してしまうといった問題がある。
【特許文献１】特開平１０−１８７８８０号公報
【発明の開示】
【発明が解決しようとする課題】
【０００４】
この発明は上述した問題点を解決するためになされたもので、この発明の目的の１つは、加筆された部分を分離するのに適した画像を形成する画像形成装置を提供することである。
【０００５】
この発明のさらに他の目的は、画像データから原稿に加筆された部分を分離することが可能な画像読取装置を提供することである。
【課題を解決するための手段】
【０００６】
上述した目的を達成するためにこの発明のある局面によれば、画像形成装置は、画像データを入力する入力手段と、規制濃度値に基づいて、画像データの少なくとも一部の濃度値を変換する濃度値変換手段と、濃度値が変換された画像データを記録媒体に画像形成する画像形成手段とを備える。
【０００７】
この発明に従えば、画像データの少なくとも一部が規制濃度値に基づいて濃度変換された画像が形成される。画像データの少なくとも一部の濃度を規制濃度値より高い濃度または低い濃度に変換すれば、その記録媒体に筆記具で加筆されても、筆記具で描画された部分と、画像形成された部分との濃度を規制濃度値で分けることができる。このため、加筆された部分を分離するのに適した画像を形成する画像形成装置を提供することができる。
【０００８】
好ましくは、外部から入力される画像形成モードを受付ける画像形成モード受付手段と、指定された画像形成モードに対応する規制濃度値を決定する規制濃度値決定手段とをさらに備える。
【０００９】
好ましくは、画像形成モードは、複数種類の筆記具に対応して複数が設けられ、複数の画像形成モードそれぞれに対応して予め定められた規制濃度値を記憶する規制濃度値記憶手段をさらに備える。
【００１０】
好ましくは、外部から規制濃度値の入力を受付ける規制濃度値受付手段をさらに備える。
【００１１】
好ましくは、濃度値変換手段は、少なくとも一部の濃度値の最高値が、規制濃度値以下となるように少なくとも一部の濃度値を変換する。
【００１２】
この発明に従えば、画像データの少なくとも一部が規制濃度値以下で記録媒体に画像形成される。その記録媒体に筆記具で加筆された場合、筆記具で描画された部分が規制濃度値を超えていれば、加筆された描画部分と画像形成された部分との濃度を規制濃度値で分けることができる。
【００１３】
このましくは、入力された画像データから属性が文字の領域を抽出する文字領域抽出手段をさらに備え、少なくとも一部の領域は文字領域である。
【００１４】
好ましくは、規制濃度値をビットマップ形式の濃度値画像データに変換する変換手段と、濃度値画像データと濃度値変換手段により変換された画像データとを合成する合成手段とさらに備える。
【００１５】
この発明の他の局面によれば、画像形成装置は、原稿を読取って画像データを出力する読取手段と、読取手段より出力された画像データの少なくとも一部から規制濃度値を超える特徴画素を抽出する抽出手段と、抽出された特徴画素を少なくとも含む付加画像データを出力する出力手段とを備える。
【００１６】
この発明に従えば、画像データの少なくとも一部から規制濃度値を超える特徴画素が抽出され、特徴画素で構成される付加画像データが出力される。原稿に画像形成された画像が規制濃度値より低い濃度であれば、その規制濃度よりも高い濃度で原稿に加筆された部分を原稿に形成された画像と濃度を規制濃度値で分けることができる。このため、画像データから原稿に加筆された部分を分離することが可能な画像読取装置を提供することができる。
【００１７】
好ましくは、原稿が画像形成された画像形成モードの入力を受付ける画像形成モード受付手段と、入力された画像形成モードに対応する規制濃度値を決定する規制濃度値決定手段とをさらに備える。
【００１８】
好ましくは、画像形成モードは、複数種類の筆記具に対応して複数が設けられ、複数の画像形成モードそれぞれに対応して予め定められた規制濃度値を記憶する規制濃度値記憶手段をさらに備える。
【００１９】
好ましくは、入力された画像データから属性が文字の領域を抽出する文字領域抽出手段をさらに備え、少なくとも一部の領域は、文字領域である。
【００２０】
好ましくは、読取手段より出力された画像データに含まれる所定の領域を解析して規制濃度値を取得する規制濃度値取得手段をさらに備える。
【発明を実施するための最良の形態】
【００２１】
以下、図面を参照しつつ本発明の実施の形態について説明する。以下の説明では、同一の部品には同一の符号を付してある。それらの名称および機能も同じである。したがってそれらについての詳細な説明は繰返さない。
【００２２】
＜第１の実施の形態＞
図１は、本発明の第１の実施の形態におけるＭＦＰの回路構成を示すブロック図である。図１を参照して、ＭＦＰ１は、ＭＦＰ１の全体を制御するためのＣＰＵ１０１と、ＣＰＵ１０１とＣＰＵバス１０２を介して接続されたバスブリッジ１０３と、バスブリッジ１０３に接続されたＲＯＭ１０５およびＲＡＭ１０７と、バスブリッジ１０３にそれぞれ汎用バス１０４を介して接続された画像制御部１１０と、操作パネルインターフェース（ＩＦ）１２１と、ネットワークインターフェース（ＩＦ）１２３と、メモリインターフェース（ＩＦ）１２５とを含む。
【００２３】
操作パネルＩＦ１２１は、操作パネル１２２と接続されており、ネットワークＩＦ１２３は、ネットワークに接続されており、メモリＩＦ１２５にはフラッシュＲＯＭ１２６が装着可能である。
【００２４】
画像制御部１１０には、画像バス１１１を介して、画像メモリ１１３と、スキャナインターフェース（ＩＦ）１１５と、プリンタインターフェース（ＩＦ）１１７と、ハードディスクユニット１１９とが接続されている。スキャナＩＦ１１５はスキャナ１１６が接続されており、プリンタＩＦ１１７はプリンタ１１８が接続されている。
【００２５】
ネットワークＩＦ１２３は、ネットワークと接続され、ＭＦＰ１を他のコンピュータとネットワークを介して接続する。ネットワークＩＦ１２３は、ＣＰＵ１０１から入力されたデータをネットワークに送出し、ネットワークから受信されたデータをＣＰＵ１０１に出力する。
【００２６】
画像制御部１１０は、ＣＰＵ１０１によって制御され、画像データの入出力を制御する。ネットワークＩＦ１２３を介して他のコンピュータから受信された画像データ、スキャナＩＦから入力される画像データまたはハードディスクから読出された画像データを、プリンタ１１８またはハードディスクユニット１１９に出力する。また、画像制御部１１０は、画像データをプリンタ１１８に出力する際には、画像データをプリンタ１１８でプリント可能なプリントデータに変換する処理を行う。さらに、画像制御部１１０は、後述する描画用画像生成処理および描画像抽出処理を実行する。描画用画像生成処理は、画像データを描画に適した形式に変換する処理である。また、描画像抽出処理は、画像データから手書きで描画された領域を抽出する処理である。
【００２７】
操作パネル１２２は、ユーザによる操作の入力を受付けるための入力部と、情報を表示するための表示部とを含む。
【００２８】
ハードディスクユニット１１９は、スキャナで読取られた画像データ、ネットワークＩＦ１２３で他のコンピュータから受信された画像データなど、ＭＦＰ１に入力されるデータを記憶する。
【００２９】
メモリＩＦ１２５には、フラッシュＲＯＭ１２６が装着される。このフラッシュＲＯＭ１２６に記憶された画像処理プログラムが、画像制御部１１０で実行される。なお、プログラムを、フラッシュＲＯＭ１２６から読み出すのに代えて、ＥＥＰＲＯＭ（electrically erasable/programable read only memory）に記憶するようにしてもよい。画像制御部１１０は、ＥＥＰＲＯＭに記憶されたプログラムを実行する。またこのＥＥＰＲＯＭは、記憶内容を書換えるまたは追加して書込みすることが可能なので、ネットワークに接続された他のコンピュータが、ＭＦＰ１のＥＥＰＲＯＭに記憶されたプログラムを書換えたり、新たなプログラムを追加して書込んだりするようにしてもよい。さらに、ＭＦＰ１が、ネットワークに接続された他のコンピュータからプログラムをダウンロードして、そのプログラムをＥＥＰＲＯＭに記憶するようにしてもよい。
【００３０】
ネットワークは、ローカルエリアネットワーク（ＬＡＮ）であってもよいし、インターネットまたは一般公衆回線であってもよく、有線または無線を問わない。
【００３１】
なお、ＭＦＰ１で実行される画像処理プログラムはフラッシュＲＯＭ１２６に記憶されて流通される例を示すが、他の記録媒体、たとえば、フレキシブルディスク、カセットテープ、ＣＤ−ＲＯＭ（Compact Disc - Read Only Memory）、ハードディスク、光ディスク（ＭＯ（Magnetic Optical Disc）／ＭＤ（Mini Disc）／ＤＶＤ（Digital Versatile Disc））、ＩＣカード（メモリカードを含む）、光カード、マスクＲＯＭ、ＥＰＲＯＭ、ＥＥＰＲＯＭなどの半導体メモリ等の固定的にプログラムを担持する媒体でもよい。さらに、ネットワークを介して他の装置からダウンロードされる場合であってもよい。
【００３２】
また、ここでいうプログラムは、画像制御部１１０により直接実行可能なプログラムだけでなく、ソースプログラム形式のプログラム、圧縮処理されたプログラム、暗号化されたプログラム等を含む。
【００３３】
図２は、操作パネルの平面図である。図２を参照して操作パネル１２２には、液晶タッチパネル１３０と、テンキー１３１と、セットされた数値を初期値に戻すためのクリアキー１３２と、割込コピーを実行するための割込キー１３３と、画像読取り開始を指示するためのスタートボタン１３４とが設けられている。液晶タッチパネル１３０は、液晶表示装置上に、透明な部材からなるタッチパネルを積載してなる。液晶表示装置は、表示部に相当する。タッチパネル、テンキー１３１、クリアキー１３２およびスタートボタン１３４が入力部に相当する。液晶表示装置に指示ボタンを表示させ、タッチパネルでそのボタンの指示を検出することで、種々の操作の入力が可能となる。
【００３４】
図３は、第１の実施の形態におけるＭＦＰの画像制御部の機能の概略を示す図である。図３を参照して、画像制御部１１０は、スキャナ１１６から出力される画像データが入力される。なお、ここでは、文字領域抽出部１５１に入力される画像データは、スキャナ１１６から入力される例を示すが、スキャナ１１６に限られず、ネットワークＩＦを介して他のコンピュータから送信される画像データ、または、ハードディスクユニット１１９から読出された画像データであってもよい。
【００３５】
画像制御部１１０は、画像データから文字の表された文字領域を抽出するための文字領域抽出部１５１と、画像形成モードを取得する画像形成モード取得部１５３と、取得された画像形成モードに従って規制濃度値を決定する規制濃度値決定部１５５と、画像データの文字領域に含まれる画素の濃度値を規制濃度値に基づいて変換する濃度値変換部１５５と、規制濃度値に基づいて文字領域から特徴領域を抽出する特徴領域抽出部１５９とを含む。
【００３６】
文字領域抽出部１５１は、従来より用いられている方法で文字属性の画素を含む矩形の領域を文字領域として抽出する。文字領域は、画像データ中の位置とサイズを含むデータであってもよいし、画像データの一部であってもよい。
【００３７】
画像形成モード取得部１５３には、操作パネル１２２から画像形成モードを指定する指定信号が入力される。画像形成モードは、通常モードと、手書き抽出モードとを含む。手書き抽出モードは、ボールペンモードと、鉛筆モードとを含む。操作パネル１２２からは、通常プリントモード、ボールペンモード、鉛筆モードのいずれかを指定する指定信号が入力される。
【００３８】
操作パネル１２２には、画像形成モード指定画面が表示される。図４は、画像形成モード指定画面の一例を示す図である。図４を参照して、画像形成モード指定画面は、通常モードの指定を受付けるための「ＯＦＦ」の選択肢、ボールペンモードの指定を受付けるための「手書き抽出モード（ボールペン）」の選択肢、鉛筆モードの指定を受付けるための「手書き抽出モード（鉛筆）」の選択肢が表示される。各選択肢の左隣には、チェックボタンが表示されており、操作パネル１２２のテンキーの操作により、チェックボタンを指定可能となっている。操作パネル１２２で指定が受付けられると、指定された選択肢に対応するチェックボタンが反転表示され、指定が受付けられたことがユーザに知らされる。
【００３９】
画像形成モード指定画面の下方には、「ＯＫ」の文字が表示された決定ボタンと、「Ｃａｎｃｅｌ」の文字が表示された取消ボタンとが表示される。決定ボタンが指示されると、その時点でチェックボタンが指定されている選択肢に対応する指定信号が画像形成モード取得部１５３に出力される。すなわち、「ＯＦＦ」の選択肢が指定されているときは、通常モードを指定するための指定信号を出力し、「手書き抽出モード（ボールペン）」の選択肢が指定されるときはボールペンモードを指定する指定信号を出力し、「手書き抽出モード（鉛筆）」の選択肢が指定されているときは鉛筆モードを指定するための指定信号を出力する。一方、取消ボタンが指示されると、その時点でチェックボタンの指定が取消され、画像形成モード取得部１５３には何も出力されない。
【００４０】
図３に戻って、画像形成モード取得部１５３は、操作パネル１２２から入力される指定信号が、ボールペンモードまたは鉛筆モードを指定する信号の場合、入力された指定信号を規制濃度値決定部１５５に出力する。
【００４１】
規制濃度値決定部１５８は、入力される指定信号に従って定まる規制濃度値を決定する。規制濃度値決定部１５８は、規制濃度値テーブル１６１を検索して、指定信号で特定される画像形成モードに対応して予め定められた規制濃度値を抽出する。規制濃度値テーブル１６１は、ハードディスクユニット１１９に予め記憶されている。なお、規制濃度値テーブル１６１は、ＲＯＭ１０５に記憶するようにしてもよいし、フラッシュＲＯＭから読み出されるようにしても良い。
【００４２】
ここでは、規制濃度値テーブルは、ボールペンモードに関連付けて規制濃度値「１２６」を定義し、鉛筆モードに関連付けて規制濃度値「８５」を定義する。規制濃度値は、筆記具によって描かれた描画対象を含む原稿をスキャナ１１６で読取って出力される画像データの描画対象部分の濃度値により定められる値である。ここでは、ボールペンで原稿に描画した場合に、その原稿をスキャナ１１６で読取って出力される画像データの描画対象部分の画素の濃度値が、「１２６」を超える場合に、規制濃度値が「１２６」とされる。なお、ここでの濃度値は０〜２５５の値を有し、濃度値が高ければ輝度値が低くなる関係にある。濃度値「０」に輝度値「２５５」が対応し、濃度値「２５５」に輝度値「０」が対応する。
【００４３】
濃度値変換部１５７は、画像データの文字領域の画素値を、文字領域に含まれる画素の濃度値の最大が規制濃度値以下となるように、文字領域に含まれる画素の濃度値を変換する。そして、文字領域の濃度が変換された画像データをプリンタ１１８に出力する。
【００４４】
したがって、ボールペンモードが指定された場合にプリンタ１１８から出力される原稿は、文字領域の画素の濃度値が、ボールペンで描画した部分の濃度よりも低くなる。また、鉛筆モードが指定された場合にプリンタ１１８から出力される原稿は、文字領域の画素の濃度値が、鉛筆で描画した部分の濃度よりも低くなる。
【００４５】
特徴領域抽出部１５９は、スキャナ１１６から画像データが入力され、文字領域抽出部１５１から文字領域が入力され、規制濃度値決定部１５５から規制濃度値が入力される。文字領域抽出部１５１で抽出される文字領域は、原稿にもともと存在する文字領域のほかに、原稿の余白部分に原稿に手書きで付加された、文字、線画などが描画された領域も含まれる。スキャナ１１６から入力される画像データは、ボールペンモードまたは鉛筆モードが指定されてプリンタ１１８から出力される原稿である。さらに、規制濃度値決定部１５５から入力される規制濃度値は、ボールペンモードまたは鉛筆モードが指定されてプリンタ１１８から出力される原稿をスキャナ１１６で読取る時点で決定された規制濃度値である。
【００４６】
特徴領域抽出部１５９は、画像データの文字領域の画素から濃度値が規制濃度値を超える画素を特徴画素として抽出する。そして、特徴画素の集合である特徴領域を画像データから抽出する。さらに、抽出した特徴領域を含む画像データをハードディスクユニット１１９に出力する。なお、特徴領域を含む画像データは、スキャナ１１６から入力された画像データの特徴画素に外接する矩形の領域であってもよい。特徴領域を含む画像データの出力先は、ハードディスクユニット１１９に限らず、プリンタ１１８、操作パネル１２２であってもよい。
【００４７】
このため、スキャナ１１６で読取る原稿が、ボールペンモードが指定されてプリンタ１１８から出力された原稿の場合、ボールペンモードが指定されていれば、原稿にボールペンで描画した部分が特徴領域として抽出され、出力される。また、スキャナ１１６で読取る原稿が、鉛筆モードが指定されてプリンタ１１８から出力された原稿の場合、鉛筆モードが指定されていれば、原稿に鉛筆で描画した部分が特徴領域として抽出され、出力される。
【００４８】
図５は、第１の実施の形態におけるＭＦＰで実行される描画用画像生成処理の流れを示すフローチャートである。図５を参照して、まず、画像データが取得される（ステップＳ０１）。画像データは、スキャナ１１６から出力される画像データ、ハードディスクユニット１１９から読出された画像データ、ネットワークＩＦ１２３により他のコンピュータから受信された画像データのいずれであってもよい。
【００４９】
次に、操作パネル１２２から入力される、画像形成モードを指定する指定信号が判断される（ステップＳ０２）。指定信号が、ボールペンモードを指定する指定信号、または、鉛筆モードを指定する指定信号の場合は、ステップＳ０３に進み、通常モードを指定する指定信号の場合は、ステップＳ０６に進む。
【００５０】
ステップＳ０３では、規制濃度値が取得される。すなわち、規制濃度値テーブル１６１を検索して、指定信号で特定される画像形成モードに対応して定められた規制濃度値を抽出する。ここでは、ボールペンモードが指定された場合には規制濃度値「１２６」が取得され、鉛筆モードが指定された場合には規制濃度値「８５」が取得される。
【００５１】
そして、画像データから文字領域が抽出される（ステップＳ０４）。文字領域の抽出は、従来から用いられている処理を適用すればよい。
【００５２】
次のステップＳ０５では、文字領域に含まれる画素の濃度値の最大が規制濃度値以下となるように、画像データの文字領域に含まれる画素の濃度値を変換する。
【００５３】
ステップＳ０６では、ステップＳ０２で通常モードが指定された場合には、画像データをプリンタ１１８に出力し、ボールペンモードまたは鉛筆モードが指定された場合には、文字領域の画素の濃度値が変換された画像データをプリンタ１１８に出力する。
【００５４】
図６は、第１の実施の形態におけるＭＦＰで実行される描画像抽出処理の流れを示すフローチャートである。図６を参照して、まず、スキャナ１１６で原稿が読取られる（ステップＳ１１）。そして、スキャナ１１６から出力される画像データが画像制御部１１０に入力される（ステップＳ１２）。
【００５５】
次に、操作パネル１２２から入力される、画像形成モードを指定する指定信号が判断される（ステップＳ１３）。指定信号が、ボールペンモードを指定する指定信号、または、鉛筆モードを指定する指定信号の場合は、ステップＳ１４に進み、通常モードを指定する指定信号の場合は、ステップＳ１８に進む。
【００５６】
ステップＳ１４では、規制濃度値が取得される。すなわち、規制濃度値テーブル１６１を検索して、指定信号で特定される画像形成モードに対応して定められた規制濃度値を抽出する。ここでは、ボールペンモードが指定された場合には規制濃度値「１２６」が取得され、鉛筆モードが指定された場合には規制濃度値「８５」が取得される。
【００５７】
そして、画像データから文字領域が抽出される（ステップＳ１５）。文字領域の抽出は、従来から用いられている処理を適用すればよい。
【００５８】
次のステップＳ１６では、文字領域に含まれる画素のうちから濃度値がステップＳ１４で取得された規制濃度値を超える画素が特徴画素として抽出され、特徴画素を含む矩形の特徴領域が画像データから抽出される。
【００５９】
このため、ステップＳ１１で読取られた原稿が、ボールペンモードが指定されてプリンタ１１８から出力された原稿の場合、ステップＳ１３でボールペンモードが指定されていれば、原稿にボールペンで描画した部分が特徴領域として抽出される。また、ステップＳ１１で読取られた原稿が、鉛筆モードが指定されてプリンタ１１８から出力された原稿の場合、ステップＳ１３で鉛筆モードが指定されていれば、原稿に鉛筆で描画した部分が特徴領域として抽出される。
【００６０】
そして、ステップＳ１７では、抽出された特徴領域を含む画像データが出力される。特徴領域を含む画像データの出力先は、ハードディスクユニット１１９、プリンタ１１８、操作パネル１２２のいずれであってもよい。さらに、ステップＳ１８では、ステップＳ１１で読取られて入力された画像データが出力される。出力先は、ハードディスクユニット１１９、プリンタ１１８、操作パネル１２２のいずれであってもよい。
【００６１】
なお、以上説明したＭＦＰ１では、描画用画像生成処理および描画像抽出処理では、処理対象となる領域を文字領域としたが、画像データの全体を処理対象としてもよい。この場合には、図３における文字領域抽出部１５１は不要であり、濃度値変換部１５７では画像データ全体の濃度値を変換し、特徴領域抽出部１５９では画像データ全体に含まれる画素から特徴画素を抽出する。また、写真領域以外の領域の濃度値を変換するようにしてもよい。さらに、複数の原稿を画像形成する場合には、原稿ごとに描画用画像生成処理を実行するか否かを予め設定するようにしてもよい。手書きにより加筆される可能性のない画像データに描画用画像生成処理を実行しないようにして、不要な処理が実行されないようにするためである。
【００６２】
また、筆記具の種類をボールペンと鉛筆を例に説明したが、他の筆記具を用いても良い。その場合には、規制濃度値テーブル１６１に、用いる筆記具によって描かれた描画対象をスキャナ１１６で読取って出力される画像データの描画対象部分の濃度値により定められる規制濃度値が、その筆記具に対応する画像形成モードと関連付けられて記憶される。
【００６３】
＜第２の実施の形態＞
第１の実施の形態におけるＭＦＰ１は、第１の実施の形態におけるＭＦＰ１では、規制濃度値は、画像形成モードに対応して予め定められていた。第２の実施の形態におけるＭＦＰ１では、規制濃度値をユーザが指定して描画用画像を生成するようにした。第２の実施の形態におけるＭＦＰ１では、規制濃度値がユーザにより指定されるために描画像抽出処理では、規制濃度値を画像データから取得する。このため、描画用画像に規制濃度値をバーコードに符号化して埋め込むようにしている。
【００６４】
第２の実施の形態におけるＭＦＰ１の回路構成および操作パネルは、第１の実施の形態におけるＭＦＰ１のそれらと同様である。従って、ここでは説明を繰返さない。
【００６５】
図７は、第２の実施の形態におけるＭＦＰの画像制御部の機能の概略を示す図である。図７を参照して、画像制御部１１０は、スキャナ１１６から出力される画像データが入力される。画像制御部１１０は、画像データから文字の表された文字領域を抽出するための文字領域抽出部１５１と、規制濃度値を決定する規制濃度値決定部１５５Ａと、規制濃度値を符号化したバーコードを生成するバーコード生成部１６５と、画像データの文字領域に含まれる画素の濃度値を規制濃度値に基づいて変換する濃度値変換部１５７と、画像データとバーコードとを合成する合成部１６７と、画像データの所定の領域を解析して規制濃度値を取得する規制濃度値取得部１６３と、規制濃度値に基づいて文字領域から特徴領域を抽出する特徴領域抽出部１５９とを含む。
【００６６】
規制濃度値決定部１５５Ａは、規制濃度値を決定する。規制濃度値は、操作パネル１２２から入力される。操作パネル１２２には、画像形成モード指定画面が表示される。
【００６７】
図８は、画像形成モード指定画面の一例を示す別の図である。図８を参照して、「手書き抽出モード（ボールペン）」の選択肢の右隣にボールペンモードに関連する規制濃度値を表示する表示領域と、「手書き抽出モード（鉛筆）」の選択肢の右隣に鉛筆モードに関連する規制濃度値を表示する表示領域とが表示される。画像形成モード表示画面が操作パネル１２２に最初に表示される場合には、ボールペンモードおよび鉛筆モードに関連して規制濃度値テーブル１６１で定義された規制濃度値が表示される。ユーザが操作パネル１２２を操作して、ボールペンモードに関連する規制濃度値を表示する表示領域の数値を変更することにより、変更した後の数値がボールペンモードに関連する規制濃度値とされ、鉛筆モードに関連する規制濃度値を表示する表示領域の数値を変更することにより、変更した後の数値が鉛筆モードに関連する規制濃度値とされる。さらに、変更可能な数値範囲を制限するようにしてもよい。規制濃度値テーブルに記憶されている規制濃度値の±２０の範囲内で規制濃度値の値を指定可能とすればよい。ここでは、ボールペンモードの場合には、規制濃度値は、「１２６」の±２０の範囲内で変更可能であり、鉛筆モードの場合には、規制濃度値は、「８５」の±２０の範囲内で変更可能である。変更後の規制濃度値は、「ＯＫ」の文字が表示された決定ボタンが指示されることに応じて、規制濃度値決定部１５５Ａに出力される。
【００６８】
濃度値変換部１５７は、規制濃度値決定部１５５Ａで決定された規制濃度値を用いて、画像データの濃度値を変換する。具体的には、画像データの文字領域の画素値を、文字領域に含まれる画素の濃度値の最大が規制濃度値以下となるように、文字領域に含まれる画素の濃度値を変換する。そして、文字領域の濃度が変換された画像データを合成部１６７に出力する。
【００６９】
バーコード生成部１６５は、規制濃度値決定部１５５Ａから入力される規制濃度値を、バーコードに符号化し、ビットマップ形式の濃度値画像データを生成する。バーコードは、１次元バーコードでもよく、２次元バーコードでもよい。
【００７０】
合成部１６７は、濃度値変換部１５７で文字領域が濃度変換された画像データの所定の位置に、濃度値画像データを上書きすることにより、画像データと濃度値画像データとを合成する。そして、濃度値画像データと合成された画像データをプリンタに出力する。
【００７１】
したがって、プリンタ１１８から出力される原稿は、文字領域の画素の濃度値が、ユーザが指定した濃度値よりも低くなる。その原稿には、所定の位置に規制濃度値のバーコードが画像形成される。
【００７２】
規制濃度値取得部１６３には、スキャナ１１６から画像データが入力される。規制濃度値取得部１６３にスキャナ１１６から入力される画像データは、所定の領域に濃度値画像データが画像形成された原稿を読取って出力される画像データである。規制濃度値取得部１６３は、入力された画像データの所定の領域を解析して規制濃度値を取得する。画像データの所定の領域には、規制濃度値をバーコード化した画像が形成されている。従って、規制濃度値取得部１６３は、このバーコードを復号して規制濃度値を取得する。
【００７３】
特徴領域抽出部１５９は、スキャナ１１６から画像データが入力され、文字領域抽出部１５１から文字領域が入力され、規制濃度値取得部１６３から規制濃度値が入力される。スキャナ１１６から入力される画像データは、プリンタ１１８から出力される原稿である。さらに、規制濃度値取得部１５５Ａから入力される規制濃度値は、ボールペンモードまたは鉛筆モードが指定されてプリンタ１１８から出力される原稿をスキャナ１１６で読取る時点で決定された規制濃度値である。
【００７４】
特徴領域抽出部１５９は、画像データの文字領域の画素から濃度値が規制濃度値を超える画素を特徴画素として抽出する。そして、特徴画素の集合である特徴領域を画像データから抽出する。さらに、抽出した特徴領域を含む画像データをハードディスクユニット１１９に出力する。なお、特徴領域を含む画像データは、スキャナ１１６から入力された画像データの特徴画素に外接する矩形の領域であってもよい。特徴領域を含む画像データの出力先は、ハードディスクユニット１１９に限らず、プリンタ１１８、操作パネル１２２であってもよい。
【００７５】
このため、スキャナ１１６で読取る原稿の文字領域が規制濃度値以下の値に濃度変換されているので、原稿に描画した部分が特徴領域として抽出され、出力される。
【００７６】
図９は、第２の実施の形態におけるＭＦＰで実行される描画用画像生成処理の流れを示すフローチャートである。図９を参照して、まず、画像データが取得される（ステップＳ２１）。
【００７７】
次に、操作パネル１２２から規制濃度値の入力があったか否かが判断される（ステップＳ２２）。規制濃度値が入力された場合にはステップＳ２３に進み、ない場合にはステップＳ２７に進む。
【００７８】
ステップＳ２３では、画像データから文字領域が抽出される。文字領域の抽出は、従来から用いられている処理を適用すればよい。次のステップＳ２４では、ステップＳ２２で入力された規制濃度値を符号化したバーコードが生成される。符号化されたバーコードは、ビットマップ形式の濃度値画像データである。
【００７９】
そして、ステップＳ２５で、文字領域に含まれる画素の濃度値の最大が規制濃度値以下となるように、画像データの文字領域に含まれる画素の濃度値を変換する。
【００８０】
さらに、ステップＳ２６で濃度値が変換された画像データの所定の領域に濃度値画像データが上書きされる。所定の領域は、例えば原稿の左下部分また左上部分等、原稿の余白部分であればどこであっても構わない。
【００８１】
ステップＳ２７では、ステップＳ２２で濃度値の入力がなかった場合には、ステップＳ０１で入力された画像データをそのままプリンタ１１８に出力し、ステップＳ２２で濃度値の入力があった場合にはステップＳ２６で濃度値画像データが合成された画像データをプリンタ１１８に出力する。
【００８２】
図１０は、第２の実施の形態におけるＭＦＰで実行される描画像抽出処理の流れを示すフローチャートである。図１０を参照して、まず、スキャナ１１６で原稿が読取られる（ステップＳ３１）。そして、スキャナ１１６から出力される画像データが画像制御部１１０に入力される（ステップＳ３２）。
【００８３】
次に、手書き抽出モードを指定するか否かが判断される（ステップＳ３３）。操作パネル１２２から手書き抽出モードを設定する信号が入力されたか否かにより判断される。図１１は、手書き抽出モード設定画面の一例を示す図である。手書き抽出モード設定画面では、「ＯＦＦ」の選択肢と、「ＯＮ」の選択肢とを含む。各選択肢の左隣には、チェックボタンが表示されており、操作パネル１２２のテンキーの操作により、チェックボタンを指定可能となっている。操作パネル１２２で指定が受付けられると、指定された選択肢に対応するチェックボタンが反転表示され、指定が受付けられたことがユーザに知らされる。図では、「ＯＮ」の選択肢が選択されている例を示している。
【００８４】
手書き抽出モード設定画面の下方には、「ＯＫ」の文字が表示された決定ボタンと、「Ｃａｎｃｅｌ」の文字が表示された取消ボタンとが表示される。決定ボタンが指示されると、その時点でチェックボタンが指定されている選択肢に対応する信号が画像制御部１１０Ａに出力される。すなわち、「ＯＦＦ」の選択肢が指定されているときは、手書き抽出モードに設定しないことを示す信号を出力し、「ＯＮ」の選択肢が指定されるときは手書き抽出モードに設定することを示す信号を出力する。一方、取消ボタンが指示されると、その時点でチェックボタンの指定が取消され、画像制御部１１０Ａには何も出力されない。
【００８５】
図１０に戻って、ステップＳ３３で手書き抽出モードが設定されている場合には、ステップＳ３４に進み、設定されていない場合にはステップＳ３９に進む。ステップＳ３４では、画像データの所定の領域に濃度値画像データが存在するか否かが判断される。存在する場合にはステップＳ３５に進み、存在しない場合にはステップＳ３９に進む。
【００８６】
ステップＳ３５では、規制濃度値が取得される。ステップＳ３４で存在するとされた濃度値画像データを解析して規制濃度値を取得する。次のステップＳ３６では、画像データから文字領域が抽出される。文字領域の抽出は、従来から用いられている処理を適用すればよい。
【００８７】
次のステップＳ３７では、文字領域に含まれる画素のうちから濃度値がステップＳ３５で取得された規制濃度値を超える画素が特徴画素として抽出され、特徴画素の集合からなる特徴領域が画像データから抽出される。
【００８８】
このため、ステップＳ３１で読取られた原稿が、描画用画像生成処理で生成されてプリントされた原稿の場合、原稿にボールペンまたは鉛筆で描画した部分が特徴領域として抽出される。
【００８９】
そして、ステップＳ３８では、抽出された特徴領域を含む画像データが出力される。特徴領域を含む画像データの出力先は、ハードディスクユニット１１９、プリンタ１１８、操作パネル１２２のいずれであってもよい。さらに、ステップＳ３９では、ステップＳ３１で読取られて入力された画像データが出力される。出力先は、ハードディスクユニット１１９、プリンタ１１８、操作パネル１２２のいずれであってもよい。
【００９０】
なお、以上説明した第２の実施の形態におけるＭＦＰ１では、描画用画像生成処理および描画像抽出処理では、処理対象となる領域を文字領域としたが、画像データの全体を処理対象としてもよい。この場合には、図７における文字領域抽出部１５１は不要であり、濃度値変換部１５７では画像データ全体の濃度値を変換し、特徴領域抽出部１５９では画像データ全体に含まれる画素から特徴画素を抽出する。また、写真領域以外の領域の濃度値を変換するようにしてもよい。さらに、複数の原稿を画像形成する場合には、原稿ごとに描画用画像生成処理を実行するか否かを予め設定するようにしてもよい。手書きにより加筆される可能性のない画像データに描画用画像生成処理を実行しないようにして、不要な処理が実行されないようにするためである。
【００９１】
また、濃度値画像データに、濃度変換された領域の位置情報を符号化したバーコードを生成し、そのバーコードを含めても良い。濃度値画像データから規制濃度値と濃度変換された領域がわかるので、濃度変換された領域内で規制濃度値を超える画素を特徴画素として抽出することで、加筆された部分を容易に抽出することができる。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９３】
【図１】本実施の形態におけるＭＦＰの回路構成を示すブロック図である。
【図２】操作パネルの平面図である。
【図３】第１の実施の形態におけるＭＦＰの画像制御部の機能の概略を示す図である。
【図４】画像形成モード指定画面の一例を示す図である。
【図５】第１の実施の形態におけるＭＦＰで実行される描画用画像生成処理の流れを示すフローチャートである。
【図６】第１の実施の形態におけるＭＦＰで実行される描画像抽出処理の流れを示すフローチャートである。
【図７】第２の実施の形態におけるＭＦＰの画像制御部の機能の概略を示す図である。
【図８】画像形成モード指定画面の一例を示す別の図である。
【図９】第２の実施の形態におけるＭＦＰで実行される描画用画像生成処理の流れを示すフローチャートである。
【図１０】第２の実施の形態におけるＭＦＰで実行される描画像抽出処理の流れを示すフローチャートである。
【図１１】手書き抽出モード設定画面の一例を示す図である。
【符号の説明】
【００９４】
１  ＭＦＰ、１１０，１１０Ａ  画像制御部、１１３  画像メモリ、１１６  スキャナ、１１８  プリンタ、１１９  ハードディスクユニット、１５１  文字領域抽出部、１５３  画像形成モード取得部、１５５，１５５Ａ  規制濃度値決定部、１５７  濃度値変換部、１５８  規制濃度値決定部、１５９  特徴領域抽出部、１６１  規制濃度値テーブル、１６３  規制濃度値取得部、１６５  バーコード生成部、１６７  合成部。
【図１】
2006186815.tif 000003
【図２】
2006186815.tif 000004
【図３】
2006186815.tif 000005
【図４】
2006186815.tif 000006
【図５】
2006186815.tif 000007
【図６】
2006186815.tif 000008
【図７】
2006186815.tif 000009
【図８】
2006186815.tif 000010
【図９】
2006186815.tif 000011
【図１０】
2006186815.tif 000012
【図１１】
2006186815.tif 000013